(57)【特許請求の範囲】
【請求項１】
本体に装着されている蓋を開閉するための開閉装置において、
本体の側壁の外面に沿って移動可能なように前記本体に取付けられている操作部と、
前記操作部と共に移動可能であって当該操作部の移動に伴って回転し、かつ前記蓋に設けられている止め部に係止可能なように前記操作部に取付けられている係止部と、
一端部が前記操作部に係止され、他端部が前記本体に係止されており、前記操作部及び係止部を付勢している弾性部材とを備え、
前記操作部は、前記係止部を回動自在に支持する穴を有し、
前記係止部は、前記止め部に対して係合・離脱可能とされた係止部材を有し、
前記弾性部材は、コイル状に巻回され且つ前記本体に支持されたばね部と、前記ばね部の各端部から接線方向へ突出するように形成された一端部及び他端部を有し、
前記弾性部材の前記一端部は前記操作部を一方向に付勢し、前記他端部は前記係止部材を前記止め部に係止させるように前記係止部を付勢し、
前記蓋を開けるときは、前記操作部を他方向に移動させることにより、前記係止部を移動・回転させて前記係止部材と前記止め部との係止状態を開放させ、その後に前記弾性部材の復元力により前記操作部及び係止部を自動復帰させ、
前記蓋を閉じるときは、前記止め部を前記係止部材に押しつけることにより、操作部を移動することなく前記係止部を回転させ、その後に前記弾性部材の復元力により前記係止部を自動復帰させて前記係止部材と前記止め部とを係止状態にする
ことを特徴とする開閉装置。
【請求項２】
前記操作部は、前記本体の外側側面に取り付けられている
請求項１に記載の開閉装置。
【請求項３】
前記係止部及び弾性部材は、前記本体の内側に配置されている
請求項１に記載の開閉装置。
【請求項４】
前記止め部は、前記係止部材の移動方向と反対側に位置するように前記蓋に設けられている
請求項１に記載の開閉装置。
【請求項５】
本体と、前記本体に開閉可能に装着されている蓋とを備え、
前記本体内に装着されるディスク状の情報記録媒体を回転することにより情報を再生もしくは記録する開閉装置を備えた電子機器において、
本体の側壁の外面に沿って移動可能なように前記本体に取付けられている操作部と、前記操作部と共に移動可能であって当該操作部の移動に伴って回転し、かつ前記蓋に設けられている止め部に係止可能なように前記操作部に取付けられている係止部と、一端部が前記操作部に係止され、他端部が前記本体に係止されており、前記操作部及び係止部を一方向に付勢している弾性部材とを有する開閉装置を備え、
前記操作部は、前記係止部を回動自在に支持する穴を有し、
前記係止部は、前記止め部に対して係合・離脱可能とされた係止部材を有し、
前記弾性部材は、コイル状に巻回され且つ前記本体に支持されたばね部と、前記ばね部の各端部から接線方向へ突出するように形成された一端部及び他端部を有し、
前記弾性部材の前記一端部は前記操作部を一方向に付勢し、前記他端部は前記係止部材を前記止め部に係止させるように前記係止部を付勢し、
前記蓋を開けるときは、前記操作部を他方向に移動させることにより、前記係止部を移動・回転させて前記係止部材と前記止め部との係止状態を開放させ、その後に前記弾性部材の復元力により前記操作部及び係止部を自動復帰させ、
前記蓋を閉じるときは、前記止め部を前記係止部材に押しつけることにより、操作部を移動することなく前記係止部を回転させ、その後に前記弾性部材の復元力により前記係止部を自動復帰させて前記係止部材と前記止め部とを係止状態にする
ことを特徴とする開閉装置を備えた電子機器。
【請求項６】
前記操作部は、前記本体の外側側面に取り付けられている
請求項５に記載の開閉装置を備えた電子機器。
【請求項７】
前記係止部及び弾性部材は、前記本体の内側に配置されている
請求項５に記載の開閉装置を備えた電子機器。
【請求項８】
前記止め部は、前記係止部材の移動方向と反対側に位置するように前記蓋に設けられている
請求項５に記載の開閉装置を備えた電子機器。
【発明の詳細な説明】
【０００１】
【発明の属する技術分野】
本発明は、本体と蓋を開閉するための開閉装置及びその開閉装置を備えた電子機器に関するものである。
【０００２】
【従来の技術】
ディスク状の情報記録媒体に記録されている情報は、例えば携帯型の電子機器である再生装置により持ち歩きながら再生して音楽やその他の情報を楽しむことができる。
例えばコンパクトディスク（ＣＤ）の再生装置は、ポータブルＣＤプレイヤ等と呼ばれており、図１９と図２０に示すように、本体（キャビネットともいう）２００と蓋２０１を有している。
【０００３】
蓋２０１は開閉装置２１０及び開放装置２２０により本体２００に対して開閉でき、この蓋２０１を本体２００から開けることにより、本体２００内にコンパクトディスク（以下、ディスクという）Ｄを着脱できるようになっている。
即ち、開閉装置２１０を構成するスライド操作部２１１を図１９に示す矢印ａ方向に操作することにより、蓋２０１に設けられている止め部２０１ａとの係止状態を開放させ、開放装置２２０を構成する捩りコイルばね２２１の復元力でヒンジ２２２を介して蓋２０１を本体２００から図２０に示す矢印ｂ方向に開けることができる。
尚、この例では、蓋２０１の所に操作用のボタン２０３等が配置されているが、本体２００側にそのような操作ボタンを配置するタイプのものもある。
【０００４】
図２１は、上記プレイヤーの内部構造を示しており、図２２は、そのＪ−Ｊ断面を示している。
本体２００の中にはディスクＤを連続回転するための駆動手段２０４及びこの駆動手段２０４に対して電力供給してディスクＤの情報を再生するための２本の電池２０５，２０５が内蔵されている。
２本の電池２０５，２０５は、ディスクＤの下部において並列配置され電気的に直列接続されてホールド板２０６で保持されている。
【０００５】
図２３は、開閉装置２１０の詳細例を示す平面図であり、本体２００の裏蓋２００ａを開けた状態を示す。
この開閉装置２１０は、スライド操作部２１１と捩りコイルばね２１２で構成されている。
スライド操作部２１１は、略長方形状のスライド板２１１ａの一面側に、突出した略Ｕ字状の装着部材２１１ｂと略長方形状の係止部材２１１ｃが一体成形された構成となっている。
【０００６】
スライド板２１１ａは、蓋２０１を開ける際に使用者が操作するための操作手段であり、本体２００の側壁２００ｂの外面に沿って図に示す矢印ａ方向に移動可能に構成されている。
装着部材２１１ｂは、スライド板２１１ａを本体２００の側壁２００ｂの外面に接触させておくための部材であり、一端部が固定端としてスライド板２１１ａと一体になっており、他端部が自由端として本体２００の側壁２００ｂの内面に引っ掛かるように構成されている。
係止部材２１１ｃは、捩りコイルばね２１２及び蓋２０１を係止させるための部材であり、第１係止部２１１ｃａに捩りコイルばね２１２の一端部２１２ｂが係止され、第２係止部２１１ｃｂに本体２００の内部に設けられている開口部２００ｃから突出する蓋２０１の止め部２０１ａが係止されるように構成されている。
【０００７】
このような構成のスライド操作部２１１は、スライド板２１１ａが本体２００の側壁２００ｂの外側に配置され、装着部材２１１ｂと係止部材２１１ｃが本体２００の側壁２００ｂの内側に配置されるように、装着部材２１１ｂと係止部材２１１ｃが、本体２００の側壁２００ｂに設けられた開口部に外側から挿入されて、本体２００の側壁２００ｂに装着される。
即ち、スライド操作部２１１は、装着部材２１１ｂが本体２００の側壁２００ｂの内面に引っ掛かることにより、本体２００の側壁２００ｂに設けられた開口部から抜け出ないように装着されており、これにより、スライド板２１１ａは、開口部内において本体２００の側壁２００ｂの外面と図２３に示す矢印ａ方向に移動可能になっている。
【０００８】
捩りコイルばね２１２は、ばね部２１２ａが本体２００の内部に設けられているピン２００ｄに挿入され、一端部２１２ｂがスライド操作部２１１の係止部材２１１ｃの第１係止部２１１ｃａに係止され、他端部２１２ｃが本体２００の内部に設けられているピン２００ｅに係止され、スライド操作部２１１を図示矢印ｃ方向に付勢している。
【０００９】
このような構成において、その動作例を説明する。
蓋２０１が閉じられているときは、同図（Ａ）に示すように、スライド操作部２１１は、捩りコイルばね２１２により図示矢印ｃ方向に付勢されており、開口部２００ｃから突出する止め部２０１ａが、第２係止部２１１ｃｂに係止されて蓋２０１の開放が規制されている。
この状態から、同図（Ｂ）に示すように、スライド操作部２１１を図示矢印ａ方向に移動させると、捩りコイルばね２１２が図示矢印ｄ方向に弾性変形されると共に、第２係止部２１１ｃｂが止め部２０１ａから離れ、蓋２０１が開放される。その後、スライド操作部２１１は、捩りコイルばね２１２の復元力により元の状態に自動復帰する。
そして、蓋２０１が閉じられるときは、止め部２０１ａが、第２係止部２１１ｃｂを図示矢印ａ方向に一旦押し出し、その直後に捩りコイルばね２１２の復元力により第２係止部２１１ｃｂに係止されて蓋２０１の開放が規制され、同図（Ａ）の状態に戻る。
【００１０】
【発明が解決しようとする課題】
上述した従来の開閉装置２１０は、蓋２０１の止め部２０１ａを係止するための第２係止部２１１ｃｂが、スライド板２１１ａに対して本体２００の径方向に配置されている。このため、開口部２００ｃは、本体２００内に装着されるディスクＤと干渉しない位置、即ち本体２００の外周とディスクＤの外周との間に設けなければならず、この分だけプレイヤーの外形が大きくなってしまうという問題があった。また、蓋２０１を閉じるときにスライド板２１１ａが動くため、誤作動と勘違いするおそれがあった。
【００１１】
本発明は、上述した事情から成されたものであり、小型な開閉装置及びその開閉装置を備えた電子機器を提供することを目的とする。
【００１２】
【課題を解決するための手段】
上記目的は、本発明の開閉装置にあっては、本体に装着されている蓋を開閉するための開閉装置において、本体の側壁の外面に沿って移動可能なように本体に取付けられている操作部と、その操作部と共に移動可能であって操作部の移動に伴って回転し、かつ蓋に設けられている止め部に係止可能なように操作部に取付けられている係止部と、一端部が操作部に係止され、他端部が本体に係止されており、操作部及び係止部を付勢している弾性部材とを備え、操作部は、係止部を回動自在に支持する穴を有し、係止部は、止め部に対して係合・離脱可能とされた係止部材を有し、弾性部材は、コイル状に巻回され且つ本体に支持されたばね部と、そのばね部の各端部から接線方向へ突出するように形成された一端部及び他端部を有し、弾性部材の一端部は操作部を一方向に付勢し、他端部は係止部材を止め部に係止させるように係止部を付勢し、蓋を開けるときは、操作部を他方向に移動させることにより、係止部を移動・回転させて係止部材と止め部との係止状態を開放させ、その後に弾性部材の復元力により操作部及び係止部を自動復帰させ、蓋を閉じるときは、止め部を係止部材に押しつけることにより、操作部を移動することなく係止部を回転させ、その後に弾性部材の復元力により係止部を自動復帰させて係止部材と止め部とを係止状態にすることにより達成される。
【００１３】
また、上記目的は、本発明の開閉装置を備えた電子機器にあっては、本体と、本体に開閉可能に装着されている蓋とを備え、本体内に装着されるディスク状の情報記録媒体を回転することにより情報を再生もしくは記録する開閉装置を備えた電子機器において、本体の側壁の外面に沿って移動可能なように本体に取付けられている操作部と、その操作部と共に移動可能であって操作部の移動に伴って回転し、かつ蓋に設けられている止め部に係止可能なように操作部に取付けられている係止部と、一端部が操作部に係止され、他端部が本体に係止されており、操作部及び係止部を一方向に付勢している弾性部材とを有する開閉装置を備え、操作部は、係止部を回動自在に支持する穴を有し、係止部は、止め部に対して係合・離脱可能とされた係止部材を有し、弾性部材は、コイル状に巻回され且つ本体に支持されたばね部と、そのばね部の各端部から接線方向へ突出するように形成された一端部及び他端部を有し、弾性部材の一端部は操作部を一方向に付勢し、他端部は係止部材を止め部に係止させるように係止部を付勢し、蓋を開けるときは、操作部を他方向に移動させることにより、係止部を移動・回転させて係止部材と止め部との係止状態を開放させ、その後に弾性部材の復元力により操作部及び係止部を自動復帰させ、蓋を閉じるときは、止め部を係止部材に押しつけることにより、操作部を移動することなく係止部を回転させ、その後に弾性部材の復元力により係止部を自動復帰させて係止部材と止め部とを係止状態にすることにより達成される。
【００１４】
上記構成によれば、従来は操作部と一体的に形成されていた蓋の止め部を係止するための係止部が、別体とされているので、開口部を本体の径方向に配置する必要がなく、本体の外周近傍に設けることができ、コンパクトにすることができる。
【００１５】
【発明の実施の形態】
以下、本発明の好適な実施形態を添付図面に基づいて詳細に説明する。
なお、以下に述べる実施形態は、本発明の好適な具体例であるから、技術的に好ましい種々の限定が付されているが、本発明の範囲は、以下の説明において、特に本発明を限定する旨の記載がない限り、これらの形態に限られるものではない。
【００１６】
図１〜図４は、本発明の開閉装置が備えられた電子機器の実施形態を示す斜視図であり、図５〜図８はその透視平面図及び３方向から見た透視側面図である。この電子機器１は、携帯型であって、しかもディスク状の情報記録媒体を再生できる、いわゆるポータブル型ディスクプレイヤの一例であり、本体（キャビネットともいう）２と、蓋（上蓋ともいう）３を有している。
【００１７】
本体２は、チャッキング部４、光学ピックアップ５等を備えている。このチャッキング部４は、ディスク状の情報記録媒体（以下、ディスクという）Ｄを着脱可能に保持できるようになっている。この光学ピックアップ５は、モータの作動によりディスクＤの半径方向にスライドする。
本体２の側面には、電源スイッチ６、イヤホンジャック用の穴７、商用交流電源に接続するためのコンバータの接続穴８等が形成されている。
【００１８】
本体２の後部には、電池収納手段２０が設けられている。この電池収納手段２０は、例えば２本の単３型の１次電池あるいは２次電池Ｂ，Ｂを直列配置で電気的に直列接続して収容することができる。この電池収納手段２０における複数の電池Ｂ，Ｂの配列方向Ｓは、好ましくは蓋３の回転中心軸ＣＬと一致しているかほぼ一致している。
蓋３の上には、各種の情報を表示する表示部６０と各種のボタン操作部６２が設けられている。この表示部６０は、たとえば液晶表示パネルを採用することができ、ディスクＤの再生情報に関する各種のデータを表示することができる。
【００１９】
蓋３は本体２の前部に設けられている開閉装置１００及び本体２の後部に設けられている開放装置１１０により本体２に対して開閉でき、この蓋３を本体２から開けることにより、本体２内にディスクＤを着脱できるようになっている。
即ち、開閉装置１００を構成するスライド操作部１０１を図１に示す矢印Ｐ方向に操作することにより、蓋３に設けられている止め部３０との係止状態を開放させ、開放装置１１０を構成する捩りコイルばね１１１の復元力でヒンジ１１２を介して蓋３を本体２から図３に示す矢印Ｒ方向に開けることができる。そして、本体２の外面部２ｃは円弧状になっており、しかも蓋３の後端部３ａも湾曲している。そして、蓋３の回転中心軸ＣＬは、電池収納手段２０に収容された電池Ｂ，Ｂの配列方向Ｓとほぼ一致している。これにより、蓋３を矢印Ｒ方向に開けると、後端部３ａは外面部２ｃにほぼ沿ってスムーズに移動していく。
【００２０】
本体２と蓋３は、金属あるいはプラスチックにより作ることができる。採用できる金属としては、たとえばアルミニウムやマグネシウム合金等を採用でき、プラスチックを用いる場合にはエンジニアリングプラスチック（たとえばカーボンファイバー強化ナイロン、ガラス繊維強化ＡＢＳ等）や、汎用のプラスチック（ＡＢＳ、ポリカーボネート等）を用いることができる。いずれにしても汎用プラスチックを用いるのに比べれば、金属あるいはエンジニアリングプラスチックを用いた方がさらに電子機器の厚みを薄くすることができる。
【００２１】
本体２に対して着脱可能に装着されるディスクＤは、たとえば光ディスクの内の一例としてＣＤである。このディスクＤの直径は、たとえば１２ｃｍであり、このディスクＤは保護層、アルミ反射層及びプラスチック基板の３層構造のものである。このプラスチック基板には微小なピットが形成されており、このピット部分にはアルミ反射層が配置され、このアルミ反射層は保護層により保護されている。ピットは、デジタル化された音楽等の情報を記録している。すなわち、音楽等の情報は、時系列的に分割して、それぞれの強さを「０」、「１」の二進法の信号（デジタル信号）に変換して記録されている。ディスクＤのピットは、この信号の内容に応じた大きさで並んでいる。このピットに対して、たとえば光学ピックアップ５からレーザ光をディスクＤの信号記録面であるアルミ反射層側に透明なプラスチック基板を通して照射し、その戻り光を受光することで電気信号に変換して音に変えることができる。
【００２２】
図９は、図５におけるＦ−Ｆ線断面図であり、電子機器１の内部構造例を示している。
本体２の中には、ディスクＤを連続回転するための駆動手段４０、チャッキング部４、２本の電池Ｂ，Ｂ、回路用の基板４２等を収容している。蓋３は、駆動手段４０、チャッキング部４、光学ピックアップ５、ディスクＤを保護する。
駆動手段４０は、本体２に対して図示しない固定部により固定されている。チャッキング部４は、駆動手段４０の中に内蔵されたモータＭＴによりディスクＤを連続回転することができる。駆動手段４０の中には光学ピックアップ５を収容することができる。つまり、駆動手段４０は、ディスクＤを連続回転しながら、ディスクＤの情報を光学的に読み取る機能を有している。２本の電池Ｂ，Ｂは駆動手段４０のモータＭＴや光学ピックアップ５に電源供給を行う。基板４２は、本体２内の収容スペースに配置され、駆動手段４０と電池収納手段２０の間の部分において、本体２の底面２ａに平行に配置されている。
【００２３】
電池収納手段２０は、本体２の底面２ａの端部２ｂと、ほぼ円形状の外面部２ｃ及び水平板２ｄ等を有している。水平板２ｄは、ディスクＤと基板４２の間を遮蔽する機能も有している。２本の電池Ｂ，Ｂは、この外面部２ｃ、底面２ａの端部２ｂにより外れないように保持できる。電池収納手段２０は、図１０に示すように、本体２の底面２ｆ側に開閉蓋７０を備えている。この開閉蓋７０は、中心軸７２を中心として、Ｇ方向に開けることができる。そして、図１１に示すように、電池収納手段２０の内部には、２本の電池Ｂ，Ｂを直列に収容することができる。一方の電池Ｂの一方のプラス端子８０は、第１接触部９０に対して弾性力を用いて電気的に積極的に押し付けて接触できるようになっている。一方、第２接触部９５は、コイルばねあるいは螺旋状のばねであり、もう一方の電池Ｂのマイナス極（他方の端部）８１に対して弾性力を用いて電気的に積極的に押して接触されている。
【００２４】
図１２は、開閉装置１００の詳細例を示す斜視図、図１３は、その分解斜視図であり、本体２の底面２ａを開けた状態を示す。
この開閉装置１００は、スライド操作部（操作部）１０１、係止部１０２、固定部１０３及び捩りコイルばね（弾性部材）１０４で構成されている。
スライド操作部１０１は、図１４の３面図に示すように、略長方形状のスライド板１０１ａの一面側に、突出した略Ｕ字状の装着部材１０１ｂと略長方形状の係止部材１０１ｃが一体成形された構成となっている。
【００２５】
スライド板１０１ａは、蓋３を開ける際に使用者が操作するための操作手段であり、本体２の側壁２１の外面に沿って図１２に示す矢印Ｐ，Ｑ方向に移動可能に構成されている。
装着部材１０１ｂは、スライド板１０１ａを本体２の側壁２１の外面に接触させておくための部材であり、一端部が固定端としてスライド板１０１ａと一体になっており、他端部が自由端として本体２の側壁２１の内面に引っ掛かるように構成されている。
係止部材１０１ｃは、係止部１０２及び捩りコイルばね１０４を係止させるための部材であり、第１係止部１０１ｃａに係止部１０２の一端が回転自在に係止され、第２係止部１０１ｃｂに捩りコイルばね１０４の一端部１０４ｂが係止されるように構成されている。
【００２６】
このような構成のスライド操作部１０１は、スライド板１０１ａが本体２の側壁２１の外側に配置され、装着部材１０１ｂと係止部材１０１ｃが本体２の側壁２１の内側に配置されるように、装着部材１０１ｂと係止部材１０１ｃが、本体２の側壁２１に設けられた開口部２２に外側から挿入されることにより、本体２の側壁２１に装着される。
即ち、スライド操作部１０１は、装着部材１０１ｂの他端部が本体２の側壁２１の内面に引っ掛かることにより、開口部２２から抜け出ないように装着されており、これにより、スライド板１０１ａは、開口部２２内において本体２の側壁２１の外面と図１２に示す矢印Ｐ，Ｑ方向に移動可能になっている。
【００２７】
係止部１０２は、図１５の３面図に示すように、略長方形板状に形成されており、一端側の下面部には突起１０２ａが設けられ、他端側の上面部には突起１０２ｂが設けられ、他端側の側面部には係止部材１０２ｃが設けられ、上面部には２つの貫通孔１０２ｄ，１０２ｅが設けられた構成となっている。
突起１０２ａは、スライド操作部１０１と係止するための部材であり、第２係止部１０１ｃｂに挿入されて回転可能に構成されている。
突起１０２ｂは、捩りコイルばね１０４を押圧するための部材であり、後述する固定部１０３の貫通孔１０３ｃから突出可能に構成されている。
【００２８】
係止部材１０２ｃは、蓋３を係止させるための部材であり、本体２の内部に設けられている開口部２３から突出する蓋３の止め部３０が係止可能に構成されている。
貫通孔１０２ｄ，１０２ｅは、係止部１０２の動きを規制するために開けられた孔であり、略三角形状に形成されて本体２の内部に設けられているピン２４，２５が挿入されるように構成されている。尚、これらの貫通孔１０２ｄ，１０２ｅは、いずれか一方のみ形成しても良い。
【００２９】
このような構成の係止部１０２は、突起１０２ａがスライド操作部１０１の第２係止部１０１ｃｂに挿入され、貫通孔１０２ｄ，１０２ｅ内にピン２４，２５が挿入されることにより本体２の内部で位置決めされ、突起１０２ａを回転中心として貫通孔１０２ｄ，１０２ｅの側面にピン２４，２５が接触する範囲内において回転するようになっている。
【００３０】
固定部１０３は、図１６の３面図に示すように、下面に空隙部１０３ａを有する略長方形板状に形成されており、一方の側面部には突起１０３ｂが設けられ、一端側の上面部には貫通孔１０３ｃ及び係止部材１０３ｄが設けられ、他方の側面部には貫通孔１０３ｅが設けられた構成となっている。
空隙部１０３ａは、その内部で係止部１０２が回転可能に構成されている。
突起１０３ｂは、固定部１０３を本体２の内部に固定するための部材であり、本体２の側壁２１に設けられた開口部２６にはめ込み可能に構成されている。
貫通孔１０３ｃは、係止部１０２の突起１０２ｂを突き出すために開けられた孔であり、突起１０２ｂが捩りコイルばね１０４の他端部１０４ｃを押圧する際に移動可能に略三角形状に構成されている。
【００３１】
係止部材１０３ｄは、捩りコイルばね１０４を係止させるための部材であり、貫通孔１０３ｃの一端に形成されて捩りコイルばね１０４の他端部１０４ｃが係止可能に構成されている。
貫通孔１０３ｅは、固定部１０３を本体２の内部に固定するための部材であり、本体２の内部に設けられたピン２７にはめ込み可能に構成されている。
このような構成の固定部１０３は、空隙部１０３ａ内に係止部１０２が位置し、かつ貫通孔１０３ｃから係止部１０２の突起１０２ｂが突き出るようにして、突起１０３ｂが開口部２６にはめ込まれ、貫通孔１０３ｅ内にピン２７が挿入されることにより本体２の内部で位置決めされ、固定されるようになっている。
【００３２】
捩りコイルばね１０４は、ばね部１０４ａが本体２の内部に設けられているピン２８に挿入され、一端部１０４ｂがスライド操作部１０１の係止部材１０１ｃの第２係止部１０１ｃｂに係止され、他端部１０４ｃが固定部１０３の係止部材１０３ｄに係止され、スライド操作部１０１を図１２に示す矢印Ｑ方向に付勢している。
尚、上記固定部１０３は、係止部１０２及び捩りコイルばね１０４の係止状態を維持するのみの部品であるので、例えば係止部１０２がスライド操作部１０１と確実に係止しており、かつ捩りコイルばね１０４が本体２と確実に係止していれば、特に設けなくても良い。
【００３３】
このような構成において、その動作例を図１７及び図１８を参照して説明する。
蓋３が閉じられているときは、図１７（Ａ）に示すように、スライド操作部１０１は、捩りコイルばね１０４により図示矢印ａ方向に付勢されており、係止部１０２は、その貫通孔１０２ｄ，１０２ｅの一端角部が、ピン２４，２５に押し付けられて位置決めされ、開口部２３から突出する蓋３の止め部３０が、係止部材１０２ｃに係止されて蓋３の開放が規制されている。
【００３４】
この状態から、同図（Ｂ）に示すように、スライド操作部１０１を係止部１０２と共に図示矢印Ｐ方向に移動させると、捩りコイルばね１０４の一端部１０４ｂが図示矢印ｂ方向に弾性変形されると共に、係止部１０２の貫通孔１０２ｄ，１０２ｅの一端角部から他端角部までの側面がピン２４，２５と接触摺動するので係止部１０２が図示矢印ｃ方向に回転される。これにより、係止部１０２の係止部材１０２ｃが蓋３の止め部３０から離れ、蓋３が開放されると共に、捩りコイルばね１０４の他端部１０４ｃが係止部１０２の突起１０２ｂに押されて図示矢印ｄ方向に弾性変形される。その後、スライド操作部１０１は、捩りコイルばね１０４の一端部１０４ｂの復元力により、また係止部１０２は、捩りコイルばね１０４の他端部１０４ｃの復元力により図１８（Ａ）の元の状態に自動復帰する。
【００３５】
そして、蓋３が閉じられるときは、同図（Ｂ）に示すように、蓋３の止め部３０が係止部１０２の係止部材１０２ｃを図示矢印ｅ方向に一旦押し出すが、このとき係止部１０２の貫通孔１０２ｄ，１０２ｅの一端角部から別の他端角部までの側面がピン２４，２５と接触摺動するので係止部１０２が図示矢印ｃ方向に回転され、捩りコイルばね１０４の一端部１０４ｂが図示矢印ｄ方向に弾性変形される。そして、その直後に係止部１０２は、捩りコイルばね１０４の一端部１０４ｂの復元力により図１７（Ａ）の元の状態に自動復帰するので、蓋３の止め部３０は係止部１０２の係止部材１０２ｃに係止されて蓋３の開放が規制される。
【００３６】
以上のような構成の開閉装置１００によれば、係止部１０２の係止部材１０２ｃが、係止部１０２の一端側に設けられているので、蓋３の止め部３０を係止部１０２の移動方向である一方向Ｑ側、即ちスライド操作部１０１に対して周方向に配置することができる。このため、開口部２３は、本体２の外周に近接した位置に設けることができ、プレイヤーの外形を従来に比べ小さくすることができる。また、蓋３を閉じるときは係止部１０２のみが動き、スライド操作部１０１は動かないため、誤作動と勘違いされることを無くすことができる。
【００３７】
尚、上述した実施形態においては、ディスクＤとして、コンパクトディスクについて説明しているが、これに限らず、高密度記録媒体、たとえば貼り合わせ型の高密度記録媒体たとえばデジタルバーサタイルディスクともデジタルビデオディスクとも呼ばれている高密度記録用のディスクや、あるいは光磁気ディスクやハードディスクのような情報記録媒体の情報を再生したり、これらの情報記録媒体に情報を記録する電子機器にも適用できるものである。
【００３８】
【発明の効果】
以上のように、本発明によれば、コンパクトに構成することができるので、適用される装置の小型化を図ることができる。
【図面の簡単な説明】
【図１】本発明の開閉装置が備えられた電子機器の実施形態を示す第１の斜視図。
【図２】本発明の開閉装置が備えられた電子機器の実施形態を示す第２の斜視図。
【図３】図１の電子機器の蓋を開けた状態を示す第１の斜視図。
【図４】図１の電子機器の蓋を開けた状態を示す第２の斜視図。
【図５】図１の電子機器の内部構造及び電池の配列等を示す平面図。
【図６】図１の電子機器の正面図。
【図７】図１の電子機器の背面図。
【図８】図１の電子機器の側面図。
【図９】図５におけるＦ−Ｆ線における断面図。
【図１０】図１の電子機器の本体の裏側を見た斜視図。
【図１１】図１の電子機器の電池収納手段の蓋を開けた状態を示す斜視図。
【図１２】図１の電子機器の開閉装置の詳細例を示す斜視図。
【図１３】図１２の開閉装置の分解斜視図。
【図１４】図１２の開閉装置の構成部品を示す第１の３面図。
【図１５】図１２の開閉装置の構成部品を示す第２の３面図。
【図１６】図１２の開閉装置の構成部品を示す第３の３面図。
【図１７】図１２の開閉装置の動作例を示す第１の平面図。
【図１８】図１２の開閉装置の動作例を示す第２の平面図。
【図１９】従来の開閉装置が備えられた電子機器の一例を示す斜視図。
【図２０】図１９の電子機器の蓋を開けた状態を示す斜視図。
【図２１】図１９の電子機器の内部構造及び電池の配列等を示す平面図。
【図２２】図２１におけるＪ−Ｊ線における断面図。
【図２３】図１９の電子機器の開閉装置の詳細例及び動作例を示す平面図。
【符号の説明】
１・・・電子機器、１００・・・開閉装置、１０１・・・スライド操作部、１０２・・・係止部、１０３・・・固定部、１０４・・・捩りコイルばね
【図１】
0004279914.tif 000002
【図２】
0004279914.tif 000003
【図３】
0004279914.tif 000004
【図４】
0004279914.tif 000005
【図５】
0004279914.tif 000006
【図６】
0004279914.tif 000007
【図７】
0004279914.tif 000008
【図８】
0004279914.tif 000009
【図９】
0004279914.tif 000010
【図１０】
0004279914.tif 000011
【図１１】
0004279914.tif 000012
【図１２】
0004279914.tif 000013
【図１３】
0004279914.tif 000014
【図１４】
0004279914.tif 000015
【図１５】
0004279914.tif 000016
【図１６】
0004279914.tif 000017
【図１７】
0004279914.tif 000018
【図１８】
0004279914.tif 000019
【図１９】
0004279914.tif 000020
【図２０】
0004279914.tif 000021
【図２１】
0004279914.tif 000022
【図２２】
0004279914.tif 000023
【図２３】
0004279914.tif 000024